(57)【要約】【課題】  開閉蓋を良好に開閉できる蓋開閉装置およびそれを備えた鍵盤楽器を提供する。【解決手段】  開閉蓋１１と、前側ガイド溝１７を有するガイド部材１２と、開閉蓋１１の前側に設けられ、前側ガイド溝１７に沿って移動する前側ガイド軸１６ａと、この前側ガイド軸１６ａの移動軌跡上に一端部２４ｂが配置され、開閉蓋１１の閉動作を制動するばね部材２４と、開閉蓋１１の閉動作の際に、前側ガイド軸１６ａが移動軌跡上のばね部材２４の一端部２４ｂを押すことによって生じる一端部２４ｂの弾性変位を制動する第１ダンパー部２３と、を備えている。従って、ばね部材２４と第１ダンパー部２３とによって開閉蓋１１の閉動作が終了する直前に開閉蓋１１の閉動作を確実にかつ良好に制動することができ、これにより安全性を確保して開閉蓋１１を良好に開閉することができる。【選択図】        図２
2019120744.tif 000002
【特許請求の範囲】
【請求項１】
開閉蓋と、
ガイド溝を有する軸ガイド部材と、
前記開閉蓋の前側に設けられ、前記ガイド溝に沿って移動する前側ガイド軸と、
前記前側ガイド軸の移動軌跡上に少なくとも一部が配置され、前記開閉蓋の閉動作を制動する第１制動部材と、
前記閉動作の際に、前記前側ガイド軸が前記移動軌跡上の前記第１制動部材の少なくとも一部を押すことによって生じる前記第１制動部材の少なくとも一部の移動を制動する第２制動部材と、
を備えていることを特徴とする蓋開閉装置。
【請求項２】
請求項１に記載の蓋開閉装置において、前記第２制動部材は、前記第１制動部材の少なくとも一部の移動を制動するダンパー部と、前記ダンパー部の上端に前記第１制動部材の少なくとも一部が移動する力を前記ダンパー部に伝えるダンパーキャップと、を備えていることを特徴とする蓋開閉装置。
【請求項３】
請求項２に記載の蓋開閉装置において、前記ダンパーキャップは、前記第１制動部材の少なくとも一部の移動を内側にガイドするガイド壁を有することを特徴とする蓋開閉装置。
【請求項４】
請求項３に記載の蓋開閉装置において、前記ガイド壁の上端に前記第１制動部材の少なくとも一部を当該ダンパーキャップの内側にガイドするガイド傾斜部が設けられていることを特徴とする蓋開閉装置。
【請求項５】
請求項３〜請求項４のいずれかに記載の蓋開閉装置において、前記ガイド壁の高さは、前側の方が後側より高いことを特徴とする蓋開閉装置。
【請求項６】
請求項２〜請求項５のいずれかに記載の蓋開閉装置において、前記軸ガイド部材は、前記第２制動部材の左右方向の移動を規制していることを特徴とする蓋開閉装置。
【請求項７】
請求項２〜請求項６のいずれかに記載の蓋開閉装置において、前記第１制動部材は、前記前側ガイド軸の移動軌跡上に少なくとも一部が配置されるゴムキャップを含む一端部と、前記軸ガイド部材に設けられる係止部に係止される他端部と、前記軸ガイド部材に設けられる軸に軸支されているコイル部と、を含むばね部材であり、
前記ダンパーキャップは、上面に前記一端部の動きに応じた曲面を含むことを特徴とする蓋開閉装置。
【請求項８】
請求項１〜請求項７のいずれかに記載の蓋開閉装置において、前記開閉蓋の後側に、前記開閉蓋が前記軸ガイド部材にガイドされて開動作する際に前記開閉蓋の開動作を制動する後側制動部材を備えていることを特徴とする蓋開閉装置。
【請求項９】
請求項１〜請求項８のいずれかに記載された蓋開閉装置と、
鍵盤と、
を備えていることを特徴とする鍵盤楽器。
【発明の詳細な説明】
【技術分野】
【０００１】
この発明は、鍵盤楽器などの楽器に用いられる蓋開閉装置およびそれを備えた鍵盤楽器に関する。
【背景技術】
【０００２】
例えば、鍵盤楽器においては、特許文献１に記載されているように、鍵盤部が内蔵された楽器ケースに鍵盤部を開閉可能に覆う開閉蓋を蝶番で回転可能に取り付け、楽器ケースの前部にショックアブソーバを設け、開閉蓋が鍵盤部を覆って閉じる際に、開閉蓋の閉動作による衝撃をショックアブソーバによって緩衝する構造のものが知られている。
【先行技術文献】
【特許文献】
【０００３】
【特許文献１】特開平０８−１１５０７５号公報
【発明の概要】
【発明が解決しようとする課題】
【０００４】
このような鍵盤楽器では、楽器ケースに開閉蓋を蝶番によって回転可能に取り付けた構造であるから、開閉蓋の閉動作による衝撃が大きく、強い衝撃をショックアブソーバによって緩衝する必要がある。
【０００５】
この発明が解決しようとする課題は、良好に開閉できる蓋開閉装置およびそれを備えた鍵盤楽器を提供することである。
【課題を解決するための手段】
【０００６】
この発明の一態様は、開閉蓋と、ガイド溝を有する軸ガイド部材と、前記開閉蓋の前側に設けられ、前記ガイド溝に沿って移動する前側ガイド軸と、前記前側ガイド軸の移動軌跡上に少なくとも一部が配置され、前記開閉蓋の閉動作を制動する第１制動部材と、前記閉動作の際に、前記前側ガイド軸が前記移動軌跡上の前記第１制動部材の少なくとも一部を押すことによって生じる前記第１制動部材の少なくとも一部の移動を制動する第２制動部材と、を備えていることを特徴とする蓋開閉装置である。
【発明の効果】
【０００７】
この発明によれば、開閉蓋を良好に開閉することができる。
【図面の簡単な説明】
【０００８】
【図１】この発明を電子鍵盤楽器に適用した一実施形態において、開閉蓋を開いた状態を示した断面図である。
【図２】図１に示された電子鍵盤楽器において、開閉蓋が鍵盤部を完全に覆う前の状態を示した断面図である。
【図３】図２に示された電子鍵盤楽器において、開閉蓋が鍵盤部を完全に覆った状態を示した断面図である。
【図４】図１に示された電子鍵盤楽器における第１制動部材を示した要部の拡大斜視図である。
【発明を実施するための形態】
【０００９】
以下、図１〜図４を参照して、この発明を電子鍵盤楽器に適用した一実施形態について説明する。
この電子鍵盤楽器は、図１〜図３に示すように、楽器ケース１を備えている。この楽器ケース１は、前後方向と直交する横方向の長さが長いほぼ箱状に形成されている。すなわち、この楽器ケース１は、底板２と、この底板２の前端部に起立して設けられた前板３と、底板２の後端部に起立して設けられた後板４と、底板２の両側部に起立して設けられた一対の側板５と、これら一対の側板５と後板４との上端部に配置された天板６と、を備えている。
【００１０】
この場合、後板４は、図１〜図３に示すように、その高さが前板３の高さよりも高く形成されている。一対の側板５は、前後方向（図１では左右方向）における中間部よりも前部側が前板３の高さよりも少し高い高さで、中間部よりも後部側が後板４の高さとほぼ同じ高さで形成されている。これにより、一対の側板５は、前後方向の中間部に段差部５ａが設けられ、この段差部５ａよりも前側の上部が前下りに緩やかに傾斜した構造になっている。
【００１１】
天板６は、図１〜図３に示すように、その前後方向の長さが、一対の側板５における中間部の段差部５ａよりも後部側の長さとほぼ同じ長さで、一対の側板５における後部側の上端部と後板４の上端部とに張り渡されている。これにより、楽器ケース１は、天板６よりも前側が上方に開放された開放部１ａが設けられ、前後方向と直交する横方向に長いほぼ箱状に形成されている。
【００１２】
この楽器ケース１内には、図１〜図３に示すように、鍵盤部７とスピーカ８とが設けられている。鍵盤部７は、鍵盤シャーシ７ａ上に複数の鍵７ｂを並列に配列させた構造で、楽器ケース１内における前側部に配置され、複数の鍵７ｂが楽器ケース１の開放部１ａから前部上方に露出するようになっている。スピーカ８は、楽音を放音するものであり、楽器ケース１内の後側部における両側に配置されている。
【００１３】
また、この楽器ケース１には、図１〜図３に示すように、蓋開閉装置１０が設けられている。この蓋開閉装置１０は、鍵盤部７を開閉可能に覆う開閉蓋１１と、この開閉蓋１１を移動可能にガイドする軸ガイド部材であるガイド部材１２と、開閉蓋１１がガイド部材１２にガイドされて鍵盤部７を覆って閉じる際に、開閉蓋１１の閉動作を制動する前側制動部材１３と、開閉蓋１１がガイド部材１２にガイドされて鍵盤部７の上側から楽器ケース１内に移動して収納される際に、開閉蓋１１の開動作を制動する後側制動部材１４と、を備えている。
【００１４】
開閉蓋１１は、図１〜図３に示すように、平板状の板であり、前後方向の長さが前板３の上部と側板５の中間部の段差部５ａとの間の長さよりも少し長い長さで、前後方向と直交する横方向の長さが、一対の側板５間の長さとほぼ同じ長さに形成されている。これにより、開閉蓋１１は、鍵盤部７の上方に配置されて楽器ケース１の開放部１ａを塞いだ際に、鍵盤部７を開閉可能に覆うようになっている。
【００１５】
ガイド部材１２は、図１〜図３に示すように、一対の側板５の内面に埋め込まれたガイド板１５を備えている。このガイド板１５には、開閉蓋１１の前端下部に設けられた前側支持部１６の前側ガイド軸１６ａをガイドする前側ガイド溝１７と、開閉蓋１１の後端下部に設けられた後側支持部１８の後側ガイド軸１８ａをガイドする後側ガイド溝１９と、が設けられている。
【００１６】
前側ガイド溝１７は、図１〜図３に示すように、前端部が前板３の上側から上方にほぼ垂直に立ち上がり、この立ち上った上部から側板５の上端部に沿って楽器ケース１の後部側に向けて後部上り（つまり前下り）に緩やかに傾斜して延び、この延びた後端部が側板５の中間部の段差部５ａの後部側、つまり天板６の前部の下側に対応する位置に亘って設けられている。
【００１７】
後側ガイド溝１９は、図１〜図３に示すように、その前端部が天板６の前部の下側に対応する箇所で、かつ前側ガイド溝１７の後端部の上側に位置し、この前端部から楽器ケース１の後部に向けて後部下り（つまり前上り）に緩やかに傾斜して延び、この延びた後端部が後板４に接近する位置に亘って設けられている。
【００１８】
これにより、ガイド部材１２は、図１〜図３に示すように、開閉蓋１１がガイド部材１２にガイドされて鍵盤部７を覆って閉じる際に、前側ガイド軸１６ａが前下り（後部上り）傾斜した前側ガイド溝１７に沿って坂を降るように移動するが、後側ガイド軸１８ａが前上り（後部下り）に傾斜した後側ガイド溝１９に沿って坂を登るように移動することにより、開閉蓋１１の閉動作の速度を減速させるようになっている。
【００１９】
また、このガイド部材１２は、図１〜図３に示すように、開閉蓋１１がガイド部材１２にガイドされて鍵盤部７の上側から楽器ケース１内に移動して収納される際に、後側ガイド軸１８ａが後部下りに傾斜した後側ガイド溝１９に沿って坂を降るように移動するが、前側ガイド軸１６ａが後部上がりに傾斜した前側ガイド溝１７に沿って坂を登るように移動することにより、開閉蓋１１の閉動作の速度を減速させるようになっている。
【００２０】
また、このガイド部材１２は、図１〜図３に示すように、開閉蓋１１の後端下部に設けられた後側支持部１８の後側ガイド軸１８ａに取り付けられたピニオン２０と、このピニオン２０が噛み合って回転しながら移動するガイドラック２１と、を備えている。このガイドラック２１は、開閉蓋１１の後側ガイド軸１８ａを後側ガイド溝１９内で円滑に移動させるためのものであり、ガイド板１５における後側ガイド溝１９の下側にこれに沿って平行に設けられている。
【００２１】
ところで、前側制動部材１３は、図１〜図４に示すように、前側ガイド軸１６ａの移動軌跡上に一端部２４ｂが配置されて開閉蓋１１の閉動作を制動する第１制動部材であるばね部材２４と、ガイド部材１２の前部に対応する楽器ケース１の側板５とガイド板１５とに跨って設けられた取付凹部１３ａ内に配置された第２制動部材である第１ダンパー部２３と、を備えている。
【００２２】
第１ダンパー部２３は、図４に示すように、オイルダンパーであり、開閉蓋１１の閉動作の際に、前側ガイド軸１６ａによって押されたばね部材２４の一端部２４ｂの弾性変形を制動するようになっている。すなわち、この第１ダンパー部２３は、シリンダー状のダンパー本体２３ａと、このダンパー本体２３ａ内にスライド可能に挿入されて外端部が外部に突出したロッド２３ｂと、を備えている。
【００２３】
この場合、ダンパー本体２３ａは、図１〜図４に示すように、その上部がガイド板１５の取付凹部１３ａ内に配置されて楽器ケース１の前後方向と直交する横方向つまり楽器ケース１の左右方向の位置が規制されている。これにより、この第１ダンパー部２３は、ばね部材２４の一端部２４ｂによってロッド２３ｂの外端部が押された際に、ロッド２３ｂが楽器ケース１に対して固定されたダンパー本体２３ａ内にゆっくり押し込まれることにより、ばね部材２４の一端部２４ｂの弾性変形を制動するようになっている。
【００２４】
ばね部材２４は、図１〜図４に示すように、コイルばねであり、コイル部２４ａがガイド板１５に設けられた第１係止部１５ａに係止され、一端部２４ｂが第１ダンパー部２３の上方に延びた状態でガイド板１５に設けられた第２係止部１５ｂに下側から当接して係止され、他端部２４ｃが一端部２４ｂの反対側に延びてガイド板１５に設けられた第３係止部１５ｃに下側から当接して係止されるようになっている。
【００２５】
これにより、ばね部材２４は、図１〜図４に示すように、他端部２４ｃがガイド板１５の第３係止部１５ｃに係止された状態で、第１係止部１５ａに係止されたコイル部２４ａを支点として、一端部２４ｂがガイド板１５の第２係止部１５ｂから下側に向けて弾性変形して第１ダンパー部２３のロッド２３ｂを押し下げるようになっている。
【００２６】
この場合、ばね部材２４の一端部２４ｂは、図１〜図３に示すように、第１ダンパー部２３の上方に位置した状態で、ガイド部材１２の前側ガイド溝１７に対応する箇所、つまり開閉蓋１１の前側ガイド軸１６ａの移動軌跡上に延びている。この一端部２４ｂの延びた先端には、前側ガイド軸１６ａが当接するゴムキャップ２４ｄが設けられている。
【００２７】
また、第１ダンパー部２３は、図１〜図４に示すように、ロッド２３ｂの外端部に設けられて、ばね部材２４の一端部２４ｂが押し当てられるダンパーキャップ２５を備えている。このダンパーキャップ２５は、その上面２５ａにおける両側に一対のガイド壁２５ｂが設けられ、これら一対のガイド壁２５ｂによってばね部材２４の一端部２４ｂをダンパーキャップ２５の上面２５ａに逸脱することなく導いて押し当てるようになっている。
【００２８】
この場合、一対のガイド壁２５ｂの各上端部には、図４に示すように、ばね部材２４の一端部２４ｂを一対のガイド壁２５ｂの各内面側に向けてガイドするガイド傾斜部２５ｃがそれぞれ設けられている。これらガイド傾斜部２５ｃは、ガイド壁２５ｂの外側上部からガイド壁２５ｂの内面側に向けて傾斜して設けられている。
【００２９】
これにより、一対のガイド壁２５ｂは、図４に示すように、楽器ケース１の左側の側板５に第１ダンパー部２３が設けられている場合に、楽器ケース１の内部側に位置するガイド傾斜部２５ｃ、つまり図４において右側に位置するガイド傾斜部２５ｃでばね部材２４の一端部２４ｂをガイドして一対のガイド壁２５ｂ間に配置させるようになっている。
【００３０】
また、これら一対のガイド壁２５ｂは、図４に示すように、楽器ケース１の右側の側板５に第１ダンパー部２３が設けられている場合に、楽器ケース１の内部側に位置するガイド傾斜部２５ｃ、つまり図４において左側に位置するガイド傾斜部２５ｃでばね部材２４の一端部２４ｂをガイドして一対のガイド壁２５ｂ間に配置させるようになっている。
【００３１】
この場合、一対のガイド壁２５ｂは、図１〜図３に示すように、楽器ケース１の前側の前端部の高さが後端部の高さよりも高くなっている。これにより、一対のガイド壁２５ｂは、上端部が前側から後側に向けて後部下りに傾斜していることにより、ばね部材２４の一端部２４ｂが前側ガイド軸１６ａによって押されて弾性変位する際に、ばね部材２４の一端部２４ｂを一対のガイド壁２５ｂ間に導くようになっている。
【００３２】
これにより、ダンパーキャップ２５は、図１〜図４に示すように、ばね部材２４の一端部２４ｂが開閉蓋１１の前側ガイド軸１６ａによって押されて弾性変形しながら第１ダンパー部２３に当接する際に、ばね部材２４の一端部２４ｂを一対のガイド壁２５ｂによってガイドしてダンパーキャップ２５の上面２５ａに押し当てるようになっている。
【００３３】
この場合、ダンパーキャップ２５の上面２５ａは、図１〜図４に示すように、ばね部材２４のコイル部２４ａを支点して、ばね部材２４の一端部２４ｂが弾性変位する際に、この一端部２４ｂの弾性変位に応じた形状のガイド曲面に形成されている。この場合、ダンパーキャップ２５の上面２５ａは、ばね部材２４の一端部２４ｂが弾性変位する際に、その弾性変位に伴う一端部２４ｂの接触位置が第１ダンパー部２３のロッド２３ｂの中心軸上に位置するようにずれるガイド曲面に形成されていることが望ましい。
【００３４】
これにより、前側制動部材１３は、図１、図２および図４に示すように、開閉蓋１１がガイド部材１２にガイドされて鍵盤部７を覆って閉じる際に、開閉蓋１１の前側ガイド軸１６ａがばね部材２４の一端部２４ｂに設けられたゴムキャップ２４ｄに上方から当接すると、開閉蓋１１の重量によってばね部材２４の一端部２４ｂが撓むように弾性変形するようになっている。
【００３５】
すなわち、この前側制動部材１３は、図１、図２および図４に示すように、開閉蓋１１の重量によってばね部材２４の一端部２４ｂがコイル部２４ａを支点して撓むように弾性変形すると、ばね部材２４の一端部２４ｂが第１ダンパー部２３のダンパーキャップ２５に押し当てられて、第１ダンパー部２３のロッド２３ｂがダンパー本体２３ａ内にゆっくり押し込まれることにより、開閉蓋１１の閉動作を制動するようになっている。
【００３６】
この場合、前側制動部材１３は、図２〜図４に示すように、ばね部材２４の一端部２４ｂが第１ダンパー部２３のダンパーキャップ２５に押し当てられる際に、ダンパーキャップ２５の上面２５ａがばね部材２４の一端部２４ｂの弾性変位に応じた形状のガイド曲面に形成されているため、第１ダンパー部２３のロッド２３ｂがダンパー本体２３ａ内に良好に押し込まれる。
【００３７】
また、この前側制動部材１３は、図１、図２および図４に示すように、開閉蓋１１が鍵盤部７の上側から楽器ケース１内に向けて移動する際に、ガイド部材１２の前側ガイド溝１７の前端部が前板３の上側から上方にほぼ垂直に立ち上がっていても、開閉蓋１１の前側ガイド軸１６ａがばね部材２４のばね力によって押し上げられているので、軽い力で開閉蓋１１の前端部が押し上げられるようになっている。
【００３８】
一方、後側制動部材１４は、図１〜図３に示すように、開閉蓋１１の後部下面に設けられた第２ダンパー部であり、開閉蓋１１がガイド部材１２にガイドされて鍵盤部７を開放させて楽器ケース１内に収納される際に、開閉蓋１１の開動作を制動するようになっている。すなわち、この後側制動部材１４は、前側制動部材１３の第１ダンパー部２３と同様、オイルダンパーであり、シリンダー状のダンパー本体１４ａと、このダンパー本体１４ａ内にスライド可能に挿入されて外端部が外部に突出したロッド１４ｂと、を備えている。
【００３９】
この後側制動部材１４は、図１〜図３に示すように、外部に突出したロッド１４ｂの外端部が楽器ケース１の後板４に押し当てられた際に、ロッド１４ｂがダンパー本体１４ａにゆっくり押し込まれることにより、開閉蓋１１の開動作を制動するようになっている。この場合、楽器ケース１の後板４の内面には、ロッド１４ｂの外端部が当接するゴムなどの緩衝部４ａが設けられている。
【００４０】
これにより、後側制動部材１４は、図１〜図３に示すように、開閉蓋１１が鍵盤部７を開放させて楽器ケース１内に完全に収納される直前に、ロッド１４ｂの外端部が楽器ケース１の後板４の内面に設けられた緩衝部４ａに押し当てられて、ロッド１４ｂがダンパー本体１４ａにゆっくり押し込まれることにより、開閉蓋１１の開動作を制動するようになっている。
【００４１】
次に、このような電子鍵盤楽器の蓋開閉装置１０作用について説明する。
まず、開閉蓋１１で鍵盤部７を覆う場合には、楽器ケース１内に収納されている開閉蓋１１を楽器ケース１内から引き出す。このときには、開閉蓋１１の前側ガイド軸１６ａがガイド部材１２の前側ガイド溝１７に沿って傾斜を降るように移動すると共に、開閉蓋１１の後側ガイド軸１８ａがガイド部材１２の後側ガイド溝１９に沿って傾斜を登るように移動する。
【００４２】
このため、開閉蓋１１は、鍵盤部７を覆う閉動作のときに、開閉蓋１１の前側ガイド軸１６ａが前側ガイド溝１７に沿って傾斜を降るように移動しても、開閉蓋１１の後側ガイド軸１８ａが後側ガイド溝１９に沿って傾斜を登るように移動するので、開閉蓋１１が早い速度で移動することがなく、ガイド部材１２によって開閉蓋１１の閉動作が制動されて開閉蓋１１の閉動作の速度が減速される。このため、開閉蓋１１がゆっくり移動する。
【００４３】
そして、開閉蓋１１が鍵盤部７を覆って閉じる直前では、開閉蓋１１の前側ガイド軸１６ａが前側制動部材１３のばね部材２４の一端部２４ｂに設けられたゴムキャップ２４ｄに押し当てられる。このときには、ばね部材２４の一端部２４ｂがコイル部２４ａを支点として撓むように弾性変形することにより、開閉蓋１１の移動速度が更に減速されると共に、ばね部材２４の一端部２４ｂが第１ダンパー部２３のダンパーキャップ２５に押し当てられる。
【００４４】
このときには、ダンパーキャップ２５の一対のガイド壁２５ｂにおける前端部が後端部よりも高く、かつ一対のガイド壁２５ｂにおける上端部にガイド傾斜部２５ｃが設けられていることにより、ばね部材２４の一端部２４ｂが一対のガイド壁２５ｂによってガイドされて確実にダンパーキャップ２５の上面２５ａに押し当てられる。
【００４５】
このときには、ダンパーキャップ２５の上面２５ａがばね部材２４の一端部２４ｂの弾性変位に応じた形状のガイド曲面に形成されているので、ばね部材２４の一端部２４ｂがコイル部２４ａを支点として撓むように弾性変位しても、ばね部材２４の一端部２４ｂがダンパーキャップ２５の上面２５ａに良好に押し当てられるので、ロッド２３ｂがダンパー本体２３ａ内に確実にかつ良好に押し込まれる。
【００４６】
このように、第１ダンパー部２３のロッド２３ｂがばね部材２４の一端部２４ｂによって押される際には、ロッド２３ｂがダンパー本体２３ａにゆっくり押し込まれるので、この第１ダンパー部２３によってばね部材２４の一端部２４ｂの弾性変位を確実にかつ良好に制動して、開閉蓋１１の閉動作が制動されて、開閉蓋１１がゆっくり閉じる。これにより、開閉蓋１１が安全に閉じられる。
【００４７】
一方、開閉蓋１１を楽器ケース１内に収納させて鍵盤部７を露出させる場合には、鍵盤部７の上側に配置された開閉蓋１１を楽器ケース１内に向けて押し込む。このときには、ガイド部材１２の前側ガイド溝１７の前端部が前板３の上側から上方にほぼ垂直に立ち上がっていても、開閉蓋１１の前側ガイド軸１６ａがばね部材２４のばね力によって押し上げられているので、軽い力で開閉蓋１１の前端部が押し上げられる。
【００４８】
そして、開閉蓋１１の前側ガイド軸１６ａがガイド部材１２の前側ガイド溝１７に沿って傾斜を登るように移動し、開閉蓋１１の後側ガイド軸１８ａがガイド部材１２の後側ガイド溝１９に沿って傾斜を降るように移動する。このため、開閉蓋１１は、前側ガイド軸１６ａが前側ガイド溝１７に沿って傾斜を登るように移動しても、後側ガイド軸１８ａが後側ガイド溝１９に沿って傾斜を降るように移動する。このため、軽い力で開閉蓋１１を移動させることができる。
【００４９】
また、このときには、開閉蓋１１の後側ガイド軸１８ａが後側ガイド溝１９に沿って傾斜を降るように移動しても、開閉蓋１１の前側ガイド軸１６ａが前側ガイド溝１７に沿って傾斜を登るように移動するので、開閉蓋１１が早い速度で移動することがなく、ガイド部材１２によって開閉蓋１１の開動作が制動されて、開閉蓋１１の開動作の速度が減速される。このため、開閉蓋１１がゆっくり移動する
【００５０】
そして、開閉蓋１１が鍵盤部７を開放させて楽器ケース１内に完全に収納される直前では、開閉蓋１１の後部下面に設けられた第２制御部材１４が開閉蓋１１の開動作を制動する。すなわち、この後側制動部材１４は、開閉蓋１１が楽器ケース１内に完全に収納される直前で、ロッド１４ｂの外端部が楽器ケース１の後板４に設けられた緩衝部４ａに押し当てられて、ロッド１４ｂがダンパー本体１４ａにゆっくり押し込まれる。このため、開閉蓋１１の開動作が制動される。
【００５１】
このように、この電子鍵盤楽器の蓋開閉装置１０によれば、開閉蓋１１と、前側ガイド溝１７を有する軸ガイド部材であるガイド部材１２と、開閉蓋１１の前側に設けられ、前側ガイド溝１７に沿って移動する前側ガイド軸１６ａと、この前側ガイド軸１６ａの移動軌跡上に一端部２４ｂが配置され、開閉蓋１１の閉動作を制動する第１制動部材であるばね部材２４と、開閉蓋１１の閉動作の際に、前側ガイド軸１６ａが移動軌跡上のばね部材２４の一端部２４ｂを押すことによって生じる一端部２４ｂの弾性変位を制動する第２制動部材である第１ダンパー部２３と、を備えていることにより、開閉蓋１１を良好に開閉することができる。
【００５２】
すなわち、この蓋開閉装置１０では、開閉蓋１１が鍵盤部７を覆って閉じる際に、前側ガイド軸１６ａの移動軌跡上に一端部２４ｂが配置され、開閉蓋１１の閉動作を制動するばね部材２４を備えていることにより、開閉蓋１１の前側ガイド軸１６ａが第１ダンパー部２３に押し当てられる前に、ばね部材２４のばね力によって開閉蓋１１の閉動作を確実にかつ良好に制動して減速させることができ、これにより第１ダンパー部２３に対する開閉蓋１１の衝撃を緩衝することができる。
【００５３】
この場合、ばね部材２４は、コイルばねであり、コイル部２４ａが楽器ケース１の第１係止部１５ａに係止され、一端部２４ｂが第１ダンパー部２３の上方に延びた状態で楽器ケース１の第２係止部１５ｂに係止され、他端部２４ｃが一端部２４ｂの反対側に延びて楽器ケース１の第３係止部１５ｃに係止され、この状態で第１係止部１５ａに係止されたコイル部２４ａを支点として、一端部２４ｂが開閉蓋１１の前側ガイド軸１６ａによって押されて第２係止部１５ｂから離れて弾性変形することにより、開閉蓋１１の閉動作を確実にかつ良好に制動させることができる。
【００５４】
また、ばね部材２４は、一端部２４ｂの先端に前側ガイド軸１６ａが当接するゴムキャップ２４ｄが設けられていることにより、前側ガイド軸１６ａがばね部材２４の一端部２４ｂに当接する際の衝撃をゴムキャップ２４ｄによって緩衝することができ、これにより衝撃音の発生を防ぐことができるので、開閉蓋１１を良好に閉じることができる。
【００５５】
また、この蓋開閉装置１０では、ガイド部材１２の前部に対応する楽器ケース１に設けられた第１ダンパー部２３を備えていることにより、開閉蓋１１がガイド部材１２にガイドされて鍵盤部７を覆って閉じる開閉蓋１１の閉動作が終了する直前に、ばね部材２４の一端部２４ｂがダンパーキャップ２５を介して第１ダンパー部２３に押し当てられた際に、第１ダンパー部２３によって開閉蓋１１の閉動作を制動することにより、安全に開閉蓋１１を閉じることができる。
【００５６】
この場合、前側制動部材１３の第１ダンパー部２３は、オイルダンパーであり、シリンダー状のダンパー本体２３ａと、このダンパー本体２３ａ内にスライド可能に挿入されて外端部が外部に突出したロッド２３ｂと、を備えていることにより、開閉蓋１１の前側ガイド軸１６ａによって弾性変位したばね部材２４の一端部２４ｂがロッド２３ｂに押し付けられた際に、ロッド２３ｂがダンパー本体２３ａにゆっくり押し込まれるので、開閉蓋１１の閉動作を確実にかつ良好に制動することができる。
【００５７】
また、第１ダンパー部２３は、ばね部材２４の一端部２４ｂが開閉蓋１１の前側ガイド軸１６ａによって弾性変形しながら第１ダンパー部２３に当接する際に、ばね部材２４の一端部２４ｂをガイドするダンパーキャップ２５を備えていることにより、ばね部材２４のコイル部２４ａを支点として、ばね部材２４の一端部２４ｂが開閉蓋１１の前側ガイド軸１６ａによって押されて弾性変位する際に、ダンパーキャップ２５によってばね部材２４の一端部２４ｂを第１ダンパー部２３に確実にかつ良好に押し当てることができる。
【００５８】
この場合、ダンパーキャップ２５の上面２５ａは、ばね部材２４の一端部２４ｂがコイル部２４ａを支点として弾性変位する際に、ばね部材２４の一端部２４ｂの弾性変位に応じた形状のガイド曲面であることにより、ばね部材２４の一端部２４ｂが弾性変位しても、ばね部材２４の一端部２４ｂを第１ダンパー部２３に確実にかつ良好に押し当てることができる。
【００５９】
また、ダンパーキャップ２５は、ガイド曲面である上面２５ａの両側に設けられて、ばね部材２４の一端部２４ｂをガイド曲面に向けてガイドする一対のガイド壁２５ｂを備えていることにより、ばね部材２４の一端部２４ｂが弾性変位してダンパーキャップ２５に押し当てられる際に、一対のガイド壁２５ｂによってばね部材２４の一端部２４ｂをガイドすることができ、これによりばね部材２４の一端部２４ｂをダンパーキャップ２５の上面２５ａに逸脱することなく確実にかつ良好に導いて押し当てることができる。
【００６０】
また、ダンパーキャップ２５における一対のガイド壁２５ｂの各上端部には、ばね部材の一端部２４ｂを一対のガイド壁２５ｂの各内面に向けてガイドするガイド傾斜部２５ｃが設けられていることにより、ばね部材２４の一端部２４ｂが弾性変位してダンパーキャップ２５に押し当てられる際に、ガイド傾斜部２５ｃによってばね部材２４の一端部２４ｂを一対のガイド壁２５ｂ間に確実にかつ良好にガイドすることができ、これによりばね部材２４の一端部２４ｂをダンパーキャップ２５の上面２５ａに確実にかつ良好に導いて押し当てることができる。
【００６１】
さらに、ダンパーキャップ２５における一対のガイド壁２５ｂは、楽器ケース１の前側の前端部の高さが後端部の高さよりも高いことによっても、ばね部材２４の一端部２４ｂが弾性変位してダンパーキャップ２５に押し当てられる際に、ガイド傾斜部２５ｃによってばね部材２４の一端部２４ｂを一対のガイド壁２５ｂ間に確実にかつ良好にガイドすることができ、これによりばね部材２４の一端部２４ｂをダンパーキャップ２５の上面２５ａに確実にかつ良好に導いて押し当てることができる。
【００６２】
また、この蓋開閉装置１０では、開閉蓋１１がガイド部材１２にガイドされて鍵盤部７を開放させて楽器ケース１内に収納される開閉蓋１１の開動作が終了する直前に、開閉蓋１１の開動作を制動する後側制動部材である後側制動部材１４を備えていることにより、開閉蓋１１を楽器ケース１内に収納する際に、開閉蓋１１の開動作を確実にかつ良好に制動することができ、これにより安全性を確保することができる。
【００６３】
すなわち、後側制動部材である後側制動部材１４は、開閉蓋１１の後部に設けられた第２ダンパー部であり、開閉蓋１１がガイド部材１２にガイドされて鍵盤部７を開放させて楽器ケース１内に収納される開閉蓋１１の開動作が終了する直前に、開閉蓋１１の開動作を制動することにより、開閉蓋１１を楽器ケース１内に収納する際に、開閉蓋１１の開動作を確実にかつ良好に制動することができ、これにより安全性を確保することができる。
【００６４】
この場合、後側制動部材１４は、前側制動部材１３の第１ダンパー部２３と同様、オイルダンパーであり、シリンダー状のダンパー本体１４ａと、このダンパー本体１４ａ内にスライド可能に挿入されて外端部が外部に突出したロッド１４ｂと、を備えていることにより、ロッド１４ｂの外端部が楽器ケース１の後板４の緩衝部４ａに押し当てられた際に、ロッド１４ｂがダンパー本体１４ａにゆっくり押し込まれるので、開閉蓋１１の開動作を確実にかつ良好に制動することができる。
【００６５】
また、この蓋開閉装置１０では、ガイド部材１２が楽器ケース１に設けられて、開閉蓋１１を移動可能にガイドする際に、開閉蓋１１の移動速度を減速させることができる。ので、すなわち、ガイド部材１２は、開閉蓋１１の前部に設けられた前側ガイド軸１６ａをガイドする前側ガイド溝１７が前部側から後部側に向けて後部上りに傾斜して設けられ、開閉蓋１１の後部に設けられた後側ガイド軸１８ａをガイドする後側ガイド溝１９が前部側から後部側に向けて後部下りに傾斜して設けられていることにより、開閉蓋１１を移動させて鍵盤部７を開閉する際に、開閉蓋１１の開閉動作の速度を減速させることができ、これにより開閉蓋１１を安全に移動させることができる。
【００６６】
すなわち、この蓋開閉装置１０では、鍵盤部７を覆う閉動作のときに、開閉蓋１１の前側ガイド軸１６ａが前側ガイド溝１７に沿って傾斜を降るように移動しても、開閉蓋１１の後側ガイド軸１８ａが後側ガイド溝１９に沿って傾斜を登るように移動するので、開閉蓋１１が早い速度で移動することがなく、ガイド部材１２によって開閉蓋１１の閉動作を制動して開閉蓋１１の閉動作の速度を減速させることができ、これにより開閉蓋１１を安全にゆっくり移動させることができる。
【００６７】
また、この蓋開閉装置１０では、鍵盤部７を開放する開動作のときに、開閉蓋１１の後側ガイド軸１８ａが後側ガイド溝１９に沿って傾斜を降るように移動しても、開閉蓋１１の前側ガイド軸１６ａが前側ガイド溝１７に沿って傾斜を登るように移動するので、開閉蓋１１が早い速度で移動することがなく、ガイド部材１２によって開閉蓋１１の開動作を制動して開閉蓋１１の開動作の速度を減速させることができ、これにより開閉蓋１１を安全にゆっくり移動させることができる。
【００６８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６９】
（付記）
請求項１に記載の発明は、開閉蓋と、ガイド溝を有する軸ガイド部材と、前記開閉蓋の前側に設けられ、前記ガイド溝に沿って移動する前側ガイド軸と、前記前側ガイド軸の移動軌跡上に少なくとも一部が配置され、前記開閉蓋の閉動作を制動する第１制動部材と、前記閉動作の際に、前記前側ガイド軸が前記移動軌跡上の前記第１制動部材の少なくとも一部を押すことによって生じる前記第１制動部材の少なくとも一部の移動を制動する第２制動部材と、を備えていることを特徴とする蓋開閉装置である。
【００７０】
請求項２に記載の発明は、請求項１に記載の蓋開閉装置において、前記第２制動部材は、前記第１制動部材の少なくとも一部の移動を制動するダンパー部と、前記ダンパー部の上端に前記第１制動部材の少なくとも一部が移動する力を前記ダンパー部に伝えるダンパーキャップと、を備えていることを特徴とする蓋開閉装置である。
【００７１】
請求項３に記載の発明は、請求項２に記載の蓋開閉装置において、前記ダンパーキャップは、前記第１制動部材の少なくとも一部の移動を内側にガイドするガイド壁を有することを特徴とする蓋開閉装置である。
【００７２】
請求項４に記載の発明は、請求項３に記載の蓋開閉装置において、前記ガイド壁の上端に前記第１制動部材の少なくとも一部を当該ダンパーキャップの内側にガイドするガイド傾斜部が設けられていることを特徴とする蓋開閉装置である。
【００７３】
請求項５に記載の発明は、請求項３〜請求項４のいずれかに記載の蓋開閉装置において、前記ガイド壁の高さは、前側の方が後側より高いことを特徴とする蓋開閉装置である。
【００７４】
請求項６に記載の発明は、請求項２〜請求項５のいずれかに記載の蓋開閉装置において、前記軸ガイド部材は、前記第２制動部材の左右方向の移動を規制していることを特徴とする蓋開閉装置である。
【００７５】
請求項７に記載の発明は、請求項２〜請求項６のいずれかに記載の蓋開閉装置において、前記第１制動部材は、前記前側ガイド軸の移動軌跡上に少なくとも一部が配置されるゴムキャップを含む一端部と、前記軸ガイド部材に設けられる係止部に係止される他端部と、前記軸ガイド部材に設けられる軸に軸支されているコイル部と、を含むばね部材であり、前記ダンパーキャップは、上面に前記一端部の動きに応じた曲面を含むことを特徴とする蓋開閉装置である。
【００７６】
請求項８に記載の発明は、請求項１〜請求項７のいずれかに記載の蓋開閉装置において、前記開閉蓋の後側に、前記開閉蓋が前記軸ガイド部材にガイドされて開動作する際に前記開閉蓋の開動作を制動する後側制動部材を備えていることを特徴とする蓋開閉装置である。
【００７７】
請求項９に記載の発明は、請求項１〜請求項８のいずれかに記載された蓋開閉装置と、鍵盤と、を備えていることを特徴とする鍵盤楽器である。
【符号の説明】
【００７８】
１  楽器ケース
１ａ  開放部
７  鍵盤部
１０  蓋開閉装置
１１  開閉蓋
１２  ガイド部材
１３  前側制動部材
１４  後側制動部材
１４ａ、２３ａ  ダンパー本体
１４ｂ、２３ｂ  ロッド
１５  ガイド板
１６  前側支持部
１６ａ  前側ガイド軸
１７  前側ガイド溝
１８  後側支持部
１８ａ  後側ガイド軸
１９  後側ガイド溝
２３  第１ダンパー部
２４  ばね部材
２４ａ  コイル部
２４ｂ  一端部
２４ｃ  他端部
２５  ダンパーキャップ
２５ａ  上面
２５ｂ  ガイド壁
２５ｃ  ガイド傾斜部
【図１】
2019120744.tif 000003
【図２】
2019120744.tif 000004
【図３】
2019120744.tif 000005
【図４】
2019120744.tif 000006